(57)【要約】      （修正有）【課題】通常時にノーマルクローズ状態またはノーマルオープン状態を持続し、軽微な外力で切替え可能な開閉挟持姿勢を有する板体挟持具を提供する。【解決手段】板体挟持具は、固定台１０に対し可動挟持片２０が回転可能に取り付けられている。固定台１０は、底板部１１及びアーチ部１２を有し、アーチ部１２は底板部１１の後側に結合し、底板部１１の前縁箇所には下端挟持部１３を設けている。可動挟持片２０は、支点により中間部にあるレバー形態をアーチ部１２に枢設し、前縁箇所には下端挟持部１３に対向する上端挟持部２１を設け、枢着部２２から前縁までの前部はＳ形状に湾曲する形態を呈し、枢着部２２を跨いで前後に延びるスロット２３を有する。バネ３０は、スロット２３を貫通し、一端が底板部１１のバネ位置決めピンに係止され、他端が可動挟持片２０のバネ位置決め穴２４に係止される。可動挟持片２０は、外力が発生させる回転により枢着部２２に対してその位置を変更する。【選択図】図１
0003228221.tif 000002
【実用新案登録請求の範囲】
【請求項１】
底板部（１１）、前記底板部の後側に結合されるアーチ部（１２）、及び、前記底板部の前縁箇所に形成される下端挟持部（１３）を設けている固定台（１０）と、
前記アーチ部に対し回動可能に設けられる枢着部（２２）、前記枢着部から前縁までの前部がＳ形状に湾曲する形態を呈し、前縁箇所に前記下端挟持部に対向する上端挟持部（２１）、及び、前記枢着部を跨いで前後に延びるスロット（２３）を設けている可動挟持片（２０）と、
前記スロットの空間に遊挿され、一端が前記底板部に係止され、他端が前記可動挟持片に係止され、前記底板部に対する前記可動挟持片の相対位置に応じて位置が変更されるバネ（３０）と、を備え、
前記バネの位置が前記枢着部より高い場合、前記バネの引張力により前記可動挟持片の前記枢着部から前縁までの前部を押圧し、前記下端挟持部及び前記上端挟持部をノーマルクローズ状態にし、
前記バネの位置が前記枢着部より低い場合、前記バネの引張力により前記可動挟持片の前記枢着部から前縁までの前部が前記アーチ部に当接するまで上昇し、前記下端挟持部及び前記上端挟持部がノーマルオープン状態を呈することを特徴とする、開閉挟持状態を有する板体挟持具。
【請求項２】
前記バネは、一端が、前記底板部に設けられるバネ位置決めピン（１４）に係止され、他端が、前記可動挟持片に設けられるバネ位置決め穴（２４）に係止されることを特徴とする請求項１に記載の開閉挟持状態を有する板体挟持具。
【請求項３】
前記可動挟持片は、前記枢着部から後縁までの後部の長さが、前記枢着部から前縁までの前部の長さより長いことを特徴とする、請求項１または請求項２に記載の開閉挟持状態を有する板体挟持具。
【請求項４】
前記可動挟持片は、前記枢着部から後縁までの後部の上面（４０）、底面、上面及び底面のいずれかに止まり穴（２５）を有することを特徴とする、請求項３に記載の開閉挟持状態を有する板体挟持具。
【考案の詳細な説明】
【技術分野】
【０００１】
本考案は、開閉挟持状態を有する板体挟持具に関するもので、ノーマルクローズ状態またはノーマルオープン状態のどちらも持続可能な板体挟持具に関する。
【背景技術】
【０００２】
以下の特許文献１を公開例として挙げる。特許文献１には、一側に吊り掛け部を有するスライド台と、上端を吊り掛け部に結合するフレームと、フレームの枠辺に設置する複数の板体挟持爪と、を備える自動開閉挟持爪の板体フレームが記載されている。各板体挟持爪は固定台及び鈍角湾曲挟持ロッドを有し、鈍角湾曲挟持ロッドの両端はそれぞれ可動挟持端及び開挟持制御端とし、固定台には可動挟持端に対して固定挟持端を有する。鈍角湾曲挟持ロッドは固定台に枢設するピボット及びねじりばねと組み合わせ、可動挟持端を常態で固定挟持端に閉じ合わせている。
【先行技術文献】
【特許文献】
【０００３】
【特許文献１】台湾登録実用新案第Ｍ５５５６１５号公報
【０００４】
板体挟持具は、通常はノーマルクローズ状態の構成を有している。開挟持制御端が固定台に向けられる押動力を受けると、可動挟持端が固定挟持端に対して開く状態を呈し、板体を着脱可能になる。開挟持制御端を付勢する付勢力が消失すると、可動挟持端がねじりばねの回復力により固定挟持端に閉じ合わせられ、板体が位置決めするように挟持されて板体の加工を行えるようになる。
【考案の概要】
【考案が解決しようとする課題】
【０００５】
いくつかの板体の加工プロセスは、進行中に加工を行うため、板体挟持具は板体を位置決めするように挟持する以外、適時開いた状態を持続させて板体の被挟持部を露出させ、所定の加工プロセスを実行し、加工の死角を生じないようにしている。従来の板体挟持具はノーマルクローズ状態またはノーマルオープン状態のどちらか一方の挟持状態しかとることができず、外力により挟持状態の開閉を一時的に変更することしかできないため、外力が消失すると元の挟持状態に戻ってしまい、もう一方の挟持状態を持続することができなかった。
【０００６】
本考案は、上述に鑑みてなされたものであり、その目的は、通常時にノーマルクローズ状態またはノーマルオープン状態を持続し、切替時に軽微な外力で挟持状態を一方の状態から他方の状態に切替え可能な、開閉挟持状態を有する板体挟持具を提供することにある。
【課題を解決するための手段】
【０００７】
本考案の開閉挟持状態を有する板体挟持具は、底板部（１１）及びアーチ部（１２）を有し、前記アーチ部は前記底板部の後側に結合し、前記底板部の前縁箇所には下端挟持部（１３）を設けている固定台（１０）と、支点により中間部にあるレバー形態を前記アーチ部に枢設し、前縁箇所には前記下端挟持部に対する上端挟持部（２１）を設け、枢着部（２２）から前縁までの前部はＳ形状に湾曲する形態を呈し、前記可動挟持片は前記枢着部を跨いで前後に延びるスロット（２３）を有する可動挟持片（２０）と、前記スロットを貫通して両端を前記底板部及び前記可動挟持片に位置決めし、前記可動挟持片は外力が発生させる回転により前記枢着部に対して改変する位置のバネ（３０）と、を備え、前記バネの位置が前記枢着部より高い場合、前記バネの引張力により前記可動挟持片の前記枢着部から前縁までの前部を押圧し、前記下端挟持部及び前記上端挟持部をノーマルクローズ状態にし、前記バネの位置が前記枢着部より低い場合、前記バネの引張力により前記可動挟持片の前記枢着部から前縁までの前部が前記アーチ部に当接するまで上昇し、前記下端挟持部及び前記上端挟持部がノーマルオープン状態を呈することを特徴とする。
【図面の簡単な説明】
【０００８】
【図１】本考案の実施形態による板体挟持具を示す傾斜図である。
【図２】本考案の実施形態による板体挟持具がノーマルクローズ状態を呈する概略図である。
【図３】本考案の実施形態による板体挟持具がノーマルオープン状態を呈する概略図である。
【考案を実施するための形態】
【０００９】
以下、本考案による実施形態を図面に基づいて説明する。
【００１０】
（一実施形態）
図１から図３を参照しながら、本考案の実施形態を詳しく説明する。
この実施形態による板体挟持具は、固定台１０に対し可動挟持片２０が回転可能に取り付けられている。
【００１１】
固定台１０は、底板部１１、及び底板部１１の後側に結合しアーチ部１２、を有する底板部１１の前縁箇所には下端挟持部１３を設け、底板部１１の上面には、後述するバネ３０の一端を係止するバネ位置決めピン１４を設ける。アーチ部１２は、枢着部２２で可動挟持片２０を回転可能に取り付けている。
【００１２】
可動挟持片２０は、中間部にある支点がアーチ部１２の枢着部２２に揺動可能に取り付けられている。可動挟持片２０は、枢着部２２から前縁４１までの前部はＳ形状に湾曲する形状を呈し、枢着部２２を跨いで前後に延びる長穴状のスロット２３を有する。可動挟持片２０の前縁４１の近傍には、下端挟持部１３に対向する上端挟持部２１を設ける。可動挟持片２０のスロット２３の後側に、バネ３０の他端を係止するバネ位置決め穴２４を設ける。可動挟持片２０について、枢着部２２から後縁４２までの後部の長さは枢着部２２から前縁４１までの前部の長さより長く、後部の上面４０には止まり穴２５を有する。
【００１３】
バネ３０は、引張コイルスプリングであり、スロット２３の空間に遊挿され、一端がバネ位置決めピン１４に係止され、他端がバネ位置決め穴２４に係止される。図２に示す閉状態のバネは、可動挟持片２０に外力を作用させると、図３に示す開状態に切り替えることができる。このとき、バネ３０は、可動挟持片２０のスロット２３の空間で相対移動する。バネ３０は、底板部１１に対する可動挟持片２０の位置に応じて位置が変更される。
【００１４】
図２に示すように、バネ３０の位置が可動挟持片２０の枢着部２２より高い位置にある場合、バネ３０の引張力により可動挟持片２０の全部を押圧し、下端挟持部１３及び上端挟持部２１をノーマルクローズ状態に保持する。この際、可動挟持片２０の後部の上面４０に図２に示す矢印４３方向に外力を作用すると、可動挟持片２０が枢着部２２を支点として図２に示す閉状態（ノーマルクローズ状態）から反時計回りに回転する。回転し始めた後、さらに回転し、バネ３０の引張力がピークを超えると、一時に図３に示す開状態に切り替わる。
【００１５】
図３に示すように、バネ３０の位置が可動挟持片２０の枢着部２２より低い位置にある場合、バネ３０の引張により可動挟持片２０の全部がアーチ部１２に当接する。
【００１６】
可動挟持片２０の後部に図３で上方向に外力を作用すると、可動挟持片２０が枢着部２２を支点として図３に示す開状態（ノーマルオープン状態）から時計回りに回転する。回転し始めた後、さらに回転し、バネ３０の引張力がピークを超えると、一時に図２に示す閉状態（ノーマルクローズ状態）に切り替わる。
これにより、本実施形態の板体挟持具によると、下端挟持部１３及び上端挟持部２１がノーマルクローズ状態からノーマルオープン状態に切り替わるし、ノーマルオープン状態からノーマルクローズ状態にも切り替わり、どちらの状態も持続可能な効果を有する。
【００１７】
さらに、可動挟持片２０の後部の長さが前部の長さより長く、省力型レバーの構成になっているから、バネ３０の定常の挟持状態を切り替える過程では、軽微な外力でも挟持状態を切り替えることができる効果を有する。
このため、軽微な外力により挟持状態を切り替え、可動挟持片２０の後部の上面４０に止まり穴２５を有する場合、止まり穴２５に向けてガスを噴出する方式により可動挟持片２０をバネ３０の付勢力に抗して回転し、定常の挟持状態を容易に切り替えられる。
【００１８】
（他の実施形態）
本考案の上記実施形態では、可動挟持片２０について、止まり穴は可動挟持片２０の後部の上面４０に設けたが、本考案では、可動挟持片の後部の底面に設けても良い。
本考案の他の実施形態では、可動挟持片の後部の上面４０及び底面に止まり穴を有する構成にした場合、止まり穴の上面４０または底面に垂直方向に選択的に空気を吹き付けることで挟持状態を容易に反復して切り替えることができる。
また、可動挟持片の後部の上面４０及び底面に止まり穴を有する場合、いずれの一方向に空気を吹き付けることで、容易に挟持状態を１回切り替えることができる。
上記実施形態では、バネ３０は引張コイルスプリングであるが、本考案では、バネは圧縮スプリングであってもよい。
このように、本考案は、上記実施形態に限定されるものではなく、その要旨を逸脱しない範囲で種々の実施形態で実施可能である。
【符号の説明】
【００１９】
１０  固定台、
１１  底板部、
１２  アーチ部、
１３  下端挟持部、
１４  バネ位置決めピン、
２０  可動挟持片、
２１  上端挟持部、
２２  枢着部、
２３  スロット、
２４  バネ位置決め穴、
２５  止まり穴、
３０  バネ、
４０  上面、
４１  前縁
４２  後縁。
【図１】
0003228221.tif 000003
【図２】
0003228221.tif 000004
【図３】
0003228221.tif 000005